(57)【特許請求の範囲】
【請求項１】
メモリ装置（１００、２００）に記憶されたデータ・セットを読取る方法であって、
少なくとも前記データ・セットのセグメントを包含しかつ前記メモリ装置（１００、２００）内の離散的記憶位置と、対応するアドレスとを有する第１の選択ホログラム（１１４、２１４）において、波長、光経路長さ及び偏光状態を特徴とする第１の光ビーム（１１０、２１０）と第２の光ビーム（１１２、２１２）とをそれらの間の規定角度で干渉させて、それによって相関パターン（１２８）と、前記データ・セットを含む、Ｎが整数であるＮ次回折次数波面（１２６）を発生させる段階と、
前記ホログラム（１１４、２１４）から回折した前記相関パターン（１２８）と前記Ｎ次回折次数波面（１２６）を検知する段階と、
相関ピークが生じた場合に、前記選択ホログラム（１１４、２１４）に対応しかつ前記Ｎ次回折次数波面（１２６）に包含された前記データ・セットを読取る段階と、
を含む方法。
【請求項２】
前記Ｎ次回折次数波面（１２６）を、前記相関パターン（１２８）と関連付ける段階を含む、請求項１に記載の方法。
【請求項３】
前記Ｎ次回折次数波面（１２６）と前記相関パターン（１２０）とを逆畳み込みすることにより、前記Ｎ次回折次数波面（１２６）に包含された前記データ・セットを読取る、請求項２に記載の方法。
【請求項４】
メモリ装置（１００、２００）に記憶されたデータ・セットを読取る方法であって、
前記メモリ装置（１００、２００）内の離散的記憶位置と対応するアドレスとを有するホログラム（１１４、２１４）において、波長、光経路長さ及び偏光状態を特徴とする第１の光ビーム（１１０、２１０）と第２の光ビーム（１１２、２１２）とをそれらの間の規定角度で干渉させて、それによって干渉パターンを発生させる段階と、
前記ホログラム（１１４、２１４）から回折した、相関ピーク信号と、前記ホログラフ的に記憶されたデータとを含むＮが整数であるＮ次回折次数波面（１２６）を検知する段階と、
相関ピークが生じた場合に、前記Ｎ次回折次数波面（１２６）内の前記データ・セットを読取る段階と、
を含む方法。
【請求項５】
前記Ｎ次回折次数波面（１２６）内の前記ホログラフ的に記憶されたデータと前記相関ピーク信号とを関連付ける段階を含む、請求項４に記載の方法。
【請求項６】
前記ホログラフ的に記憶されたデータと前記相関ピーク信号と逆畳み込みすることにより、前記Ｎ次回折次数波面（１２６）に包含された前記データ・セットを読取る、請求項５に記載の方法。
【請求項７】
前記第１の光ビーム（１１０、２１０）及び第２の光ビーム（１１２、２１２）が、拡張光源又は広域スペクトル成分を有する光源から照射される、請求項１乃至６のいずれかに記載の方法。
【請求項８】
前記第１の光ビーム（１１０、２１０）が第１の波長λ１を有し、また前記第２の光ビーム（１１２、２１２）が第２の波長λ２を有する、請求項１乃至７のいずれかに記載の方法。
【請求項９】
一方の光ビームの光経路長さ又は波長を他方に対して変えることによって、第２の選択ホログラム（２１４）における前記Ｎ次回折次数波面（１２６）内のデータ・セットを読取る段階をさらに含む、請求項１乃至８のいずれかに記載の方法。
【請求項１０】
一方の光ビームの偏光状態を他方に対して変えることによって、第２の選択ホログラム（２１４）における前記Ｎ次回折次数波面（１２６）内のデータ・セットを読取る段階をさらに含む、請求項１乃至９のいずれかに記載の方法。
【請求項１１】
各々が対応するメモリアドレスによって識別される、離散的メモリ記憶位置にホログラフ的に記録されたデータ・セットを包含する複数の記録媒体（１０４、２０４）と、
前記記録媒体（１０４、２０４）内の離散的メモリ記憶位置の選択位置において２つの光ビーム間での干渉パターンを生成し、それによってＮ次回折次数波面（１２６）を発生させるための手段と、
前記選択離散的メモリ記憶位置から発する前記Ｎ次回折次数波面（１２６）を検知するための手段と、
前記Ｎ次回折次数波面（１２６）から前記ホログラフ的に記憶されたデータを読取るための手段と、
を含むホログラフィックメモリ装置（１００、２００）。
【請求項１２】
前記離散的メモリ記憶位置に記録された前記データにアクセス可能にするための、前記複数の記録媒体（１０４、２０４）間に交互配置された複数のメモリアドレスアクセス媒体（１０６、２０６）をさらに含む、請求項１１記載のホログラフィックメモリ装置（１００、２００）。
【請求項１３】
前記複数の記録媒体（１０４、２０４）が、積層ホログラム（１１４、２１４）を含み、前記干渉パターンが、前記光ビームの移動方向に沿った前記記録媒体（１０４、２０４）の厚さよりも小さい寸法にわたって存在する、請求項１１又は１２に記載ホログラフィックメモリ装置（１００）。
【請求項１４】
２つの光ビーム間に干渉パターンを生成するための前記手段が、拡張光源（３０２）又は広域スペクトル成分を有する光源を含む、請求項１１乃至１３のいずれかに記載のホログラフィックメモリ装置（１００、２００）。
【請求項１５】
２つの光ビーム間に干渉パターンを生成するための前記手段が、コヒーレント光源（３０２）を含む、請求項１１乃至１４のいずれかに記載のホログラフィックメモリ装置（１００、２００）。
【請求項１６】
前記２つの光ビーム（１１０、１１２、２１０、２１２）が、第１の波長λ１を有する第１の光ビーム（１１０、２１０）と、第２の波長λ２を有する第２の光ビーム（２１０、２１２）とを含む、請求項１１乃至１５のいずれかに記載のホログラフィックメモリ装置（１００、２００）。
【請求項１７】
前記２つの光ビーム（１１０、１１２、２１０、２１２）が、互いにクロス偏光される、請求項１１乃至１６のいずれかに記載のホログラフィックメモリ装置（１００、２００）。
【請求項１８】
前記第１の光ビーム又は前記第２の光ビームの光経路長さ又は波長を変えるための手段をさらに含む、請求項１１乃至１７のいずれかに記載のホログラフィックメモリ装置（１００、２００）。
【請求項１９】
前記複数のメモリアドレスアクセス媒体（１０６、２０６）が、前記２つの光ビーム（１１０、１１２、２１０、２１２）の位相を互いに変化させ、それによって非クロス偏光の光ビームを発生させる媒体を含む、請求項１１乃至１８のいずれかに記載のホログラフィックメモリ装置（１００、２００）。
【請求項２０】
前記Ｎ次回折次数波面（１２６）から前記ホログラフ的に記憶されたデータを読取るための前記手段が、ネットワーク装置を含む分散形コンピュータネットワーク（５００）と通信する状態になっており、前記ネットワーク装置が、前記ネットワークを介して２つ又はそれ以上の該ネットワーク装置間で元の圧縮及び復元ホログラム又はデータ・セットを送信し、受信し、記録し、記憶し或いは処理することができるようにするプログラムソフトウェアを実行するように構成されている、請求項１１乃至１９のいずれかに記載のホログラフィックメモリ装置（１００、２００）。
【請求項２１】
前記選択離散的メモリ記憶位置から発する相関パターン（１２８）を検知するための手段と、
相関ピークが生じた場合に、前記Ｎ次回折次数波面（１２６）と前記相関パターン（１２０）とを逆畳み込みする手段と、
を含み、
前記データを読取るための手段は、逆畳み込みされた前記Ｎ次回折次数波面（１２６）から前記ホログラフ的に記憶されたデータを読取る、請求項１１乃至２０のいずれかに記載のホログラフィックメモリ装置（１００、２００）。
【請求項２２】
前記選択離散的メモリ記憶位置から発する相関ピーク信号を検知するための手段と、
相関ピークが生じた場合に、前記Ｎ次回折次数波面（１２６）と前記相関ピーク信号とを逆畳み込みする手段と、
を含み、
前記データを読取るための手段は、逆畳み込みされた前記Ｎ次回折次数波面（１２６）から前記ホログラフ的に記憶されたデータを読取る、請求項１１乃至２０のいずれかに記載のホログラフィックメモリ装置（１００、２００）。
【発明の詳細な説明】
【技術分野】
【０００１】
本発明は、多層ホログラフィックメモリ装置に関し、より具体的には、このような装置内のメモリ記憶位置を光学的にアドレス指定する方法に関する。
【背景技術】
【０００２】
新型のデータ記憶技術は、高データ密度と、例えば３０メガビット／秒（Ｍｂ／ｓ）よりも速い高アクセス速度とを必要とする。純粋容量法が試みられてきたが、これは、不安定性に問題がありまた低い動作温度を必要とすることになる非常に特殊な材料を必要とする。さらに、クリスタル及び感光性高分子を使用するホログラフィック記憶法が試みられてきたが、容量要件及びアドレス指定能力が、これらの解決策が高速用途で実用化されるのを妨げてきた。
【特許文献１】米国特許第６１９１８７５号
【発明の開示】
【発明が解決しようとする課題】
【０００３】
従って、当技術分野において高速かつ正確なホログラフィックデータ記憶及び検索のためのシステム及び方法に対する必要性が未だ存在する。
【課題を解決するための手段】
【０００４】
ホログラフィックメモリ装置は、互いに重ねて配置された複数のホログラフィック記録媒体と、複数のホログラフィック記録媒体間に交互配置された複数のメモリアドレスアクセス媒体とを含む。読取り方法は、干渉効果を使用して、複数のホログラフィック記録媒体層内の特定の垂直メモリ記憶位置を選択する。
【発明を実施するための最良の形態】
【０００５】
図１には、ホログラフィックメモリ装置１００を示す。ホログラフィックメモリ装置１００は、基板１０２を含む。基板１０２上には、複数のホログラフィック記録媒体１０４が配置される。複数のホログラフィック記録媒体１０４間には、複数のメモリアドレスアクセス媒体１０６が交互配置される。ホログラフィックメモリ装置１００はさらに、保護層１０８を含むことができる。
【０００６】
ホログラフィック記録媒体１０４の各々は、その中に、従来型の静止又は動画像のホログラム或いは例えば文書テキストを表わすバイナリデータのようなデータ・セットを包含することができる１つ又はそれ以上のホログラム１１４を包含する。このようなホログラム１１４は、反射ホログラム、送信ホログラム又はコンピュータ生成ホログラムとすることができる。
【０００７】
従って、図１に示すように垂直に交互配置することによって、各ホログラム１１４は、メモリ記憶位置内に垂直アドレスを所有する。メモリアドレスはまた、当技術分野ではよく知られるようなセクタアドレスを含む。選択ホログラムの垂直メモリアドレスにアクセスするために、僅かに異なる波長（λ１、λ２）を有する２つの光ビーム１１０、１１２を、適切なセクタアドレス１１８（図７）において干渉させる。２つの光ビーム１１０、１１２の干渉は、干渉ボリューム内に干渉パターン１２０を形成し、その単一次元ｘを、図４及び図５に干渉層１１６として示す。干渉層１１６を越えると、干渉パターンは存在しない。干渉層１１６の深さｘが、隣接層１０４間へのクロストークを排除するようにホログラフィック記録媒体１１４の各層の厚さｔに比べて十分小さい（例えば、図５におけるようにｘ＜＜ｔ）場合には、メモリアドレスアクセス媒体層１０６は、離散的ホログラフィック記録媒体層１０４を維持しながら、光学的に薄くするか又は排除することができることを理解されたい。図６では、干渉層は、ホログラフィック層１０４の全厚さまで広がる。薄い干渉層１１６は、例えば拡張光源又は広域スペクトル含有量を有する光源を使用することによって形成することができる。僅かに異なる波長にすることによって、２つの光ビーム１１０、１１２によって生成された干渉層１１６内の干渉パターン１２０は、時間の経過と共にその位置が前進して、ホログラフィック記録媒体１０４の垂直層の次のレベルを通って前進することになる連続的移動干渉パターン１２０を生成するようになる。読取りのこの波長掃引方法は、ホログラフィック媒体１０４の層を通って行われる連続的読取り掃引を非常に高速に行うことができるという利点を有する。
【０００８】
これに代えて、２つの光ビーム１１０、１１２を同じ波長にすることができ、ビームの１つにおける光経路長さＬを変えるための手段を使用して、干渉層１１６を連続的高速掃引ではなく制御した方法で垂直に前進させることができる。光経路長さＬは、例えば電気光学結晶又は圧電ミラー３１２（図３）を使用することによって変えることができる。光経路長さＬを変えることによって干渉層１１６を移動させる方法は、媒体層１０４のランダムアドレス指定能力を提供するという利点を有する。
【０００９】
２つの光ビーム１１０、１１２の干渉によって生成された干渉パターン１２０の位相が、規定メモリアドレスアクセス媒体１０６によって定まる位相に一致する場合、メモリアクセス媒体１０６は、光ビーム１１０、１１２の位相偏移を生じさせ、それによって干渉パターンが対応するホログラム１１４において生成されるようにする。
【００１０】
選択ホログラム１１４における２つのビーム１１０、１１２の干渉によって生成された干渉パターン１２０の位相が特定のメモリ記憶位置に記録されたホログラムの位相に一致する場合には、相関ピークが生じることになり、選択ホログラム１１４に包含されたデータは、光検出器４０４によって検出可能な方法で読取ることができる（図８）。位相が一致しない場合には、相関ピークは生じないことになる。光検出器４０４は、ホログラムによって回折された光を検出し、この光は、相関ピーク信号とホログラフ的に記憶されたデータ信号との両方を含み、信号処理ユニット４０８に出力信号４０６として提供される。信号処理ユニット４０８は、ホログラムからの回折データとホログラムからの相関ピーク信号との間で逆畳み込み演算を実行し、出力として記録データ４１０を提供する。相関信号が存在しない場合には、信号処理ユニット４０８によって信号は提供されない。読取りパターンの空間的又は他の符号化を使用して、読取り信号をあらゆる雑音信号から分離することを可能にすることができる。ホログラフィック読取りの空間的又は他の符号化はまた、データセキュリティの目的にも使用することができる。
【００１１】
図９には、ホログラフィックメモリ装置に記憶されたデータ・セットを読取る方法を示す。第１の光ビーム１１０は、ホログラフィックメモリ装置のホログラム１０４において第２の光ビーム１１２とそれらの間の規定角度θで干渉するようにされる。これにより、干渉パターンが発生する。Ｎが整数であるＮ次回折次数波面１２６が、ホログラム１１４から回折され、検出器４０４によって検知される。Ｎ次回折次数波面１２６は、相関ピーク信号とホログラフ的に記憶されたデータとを含む。ホログラフ的に記憶されたデータは、相関ピーク信号と関連付けられる。相関ピークが生じた場合には、ホログラフ的に記憶されたデータと相関ピーク信号とを逆畳み込みすることが逆畳み込み演算され、Ｎ次回折次数波面１２６内のデータ・セットが読取られる。第１の光ビーム１１０と第２の光ビーム１１２は、拡張光源又は広域スペクトル成分を有する光源から照射することができ、或いはコヒーレント光源から照射しかつ僅かに異なる波長λ１、λ２とすることができる。
【００１２】
図１０には、ホログラフィックメモリ装置に記憶されたデータ・セットを読取る方法を示す。第１の光ビーム１１０は、ホログラフィックメモリ装置のホログラム１０４において第２の光ビーム１１２とそれらの間の規定角度θで干渉するようにされる。Ｎが整数であるＮ次回折次数波面１２６が、ホログラム１１４から回折され、検出器４０４で検知される。Ｎ次回折次数波面１２６は、データ・セットを含む相関パターン１２８と関連付けられる。相関ピークが生じた場合には、Ｎ次回折次数波面１２６と相関パターン１２８とは逆畳み込みされ、Ｎ次回折次数波面１２６のデータ・セットが読取られる。逆畳み込みは、標準デジタル画像処理方法によって行うことができる。第１の光ビーム１１０及び第２の光ビーム１１２はまた、拡張光源又は広域スペクトル成分を有する光源から照射することができ、或いはコヒーレント光源から照射しかつ僅かに異なる波長λ１、λ２とすることができる。
【００１３】
読取り干渉パターン（すなわち、ビーム１１０及び１１２の干渉によって生成された干渉パターン）を選択ホログラフィック記録媒体層１１４に記録されたホログラフィックデータに一致させるように読取りビームを符号化する１つの方法は、記録ホログラフィックデータに同調（ビート）することになる、読取りビーム全体にわたって空間的に変化する特定のパターンを生成することである。得られた空間ビートパターンは、検出システム４０４によって読取られて、適切なデータがホログラフィック記録媒体１１４から読取られるようになる。これに代えて、ホログラフィックデータ又は情報に加えた搬送波パターンを使用して、情報を読取ることができる。読取りビーム内に形成された空間的に変化するパターンがホログラフィック記録内に符号化されたパターンと一致する場合、ホログラフィックデータ又は情報は、再構成され、それによって検出器４０４によって読取り可能になる。簡単な例として、ホログラムを特定の周波数の正弦波パターンに重ね合わせることができる。２つの光ビーム１１０、１１２が同一周波数の正弦波パターンを生成するように干渉する場合、メモリアクセス媒体１０６は、光ビーム１１０、１１２の位相偏移を引き起こし、それによって干渉パターンが対応するホログラム１１４において生成され、その中の包含データが読取られるようになる。ビーム１１０、１１２が選択ホログラフィック記録媒体層１０４を通過すると、ビーム１１０、１１２は、次のアクセス媒体層１０６によってその元の非干渉状態に戻り、或いは他の方法で空間干渉パターンはもはや示さなくなり、従って異なる層において何らの次のホログラムも読取らない。特定の方法について説明してきたが、本発明の技術的範囲から逸脱することなく、ホログラフィック記録媒体内の特定の記憶位置において干渉パターンを生成するための他の手段を、類似の方法で動作するように置き換えることができることを理解されたい。ホログラフィック記録を読取るようにする他の方法は、ホログラフィック記録の基準ビームの角度及び波形内容を一致させる段階を含むことができる。
【００１４】
図１から最もよく分かるように、メモリ内の様々な垂直記憶位置におけるホログラム１１４は、ホログラフィックメモリ装置１００とは別なものとして構成することができ、或いはホログラフィックメモリ装置１００の一部として構成することができる。図２には、別の実施形態として、ホログラフィックメモリ装置２００を示す。ホログラフィックメモリ装置２００は、基板２０２を含む。基板２０２上には、複数のホログラフィック記録媒体２０４が配置される。複数のホログラフィック記録媒体２０４間には、複数のメモリアドレスアクセス媒体２０６が交互配置される。ホログラフィックメモリ装置２００はさらに、保護層２０８を含むことができる。
【００１５】
ホログラフィック記録媒体２０４の各々は、その中に、従来型の静止又は動画像のホログラム或いは例えば文書テキストを表わすバイナリデータのようなデータ・セットを同様に包含することができる１つ又はそれ以上のホログラム２１４を包含する。このようなホログラム２１４は、反射ホログラム、送信ホログラム又はコンピュータ生成ホログラムとすることができる。
【００１６】
従って、図２に示すように垂直に交互配置することによって、各ホログラム２１４は、メモリ記憶位置内に垂直アドレスを所有する。メモリアドレスはまた、当技術分野ではよく知られるようなセクタアドレスを含む。メモリアドレスアクセス媒体２０６は、特定の波長の光ビームの偏光遅延を引き起こす材料を含む。クロス偏光光ビームは干渉しないことが知られている。従って一対の光ビーム２１０、２１２の偏光回転を制御することによって、特定のホログラム２１４のホログラフ的な読取りを可能にするように該光ビームの干渉を制御することができる。干渉する光ビーム２１０、２１２の波長を変えることによって、異なるメモリアドレス媒体層２０６は、光ビーム２１０、２１２における偏光遅延に影響を与えるようになる。従って、ビーム２１０、２１２の波長を選択することによって、メモリアドレス媒体層２０６が光ビーム２１０、２１２の偏光回転を変えるか又は偏移させるかのいずれかが選択される。適切なホログラムメモリ２１４が、アドレス指定される。メモリアドレス媒体層２０６は、光ビーム２１０、２１２の偏光の偏移を引き起こすがそれによってビーム２１０、２１２はクロス偏光されず、従って適切なホログラム２１４において干渉パターンを形成することが可能になる。選択ホログラム２１４において２つのビーム２１０、２１２の干渉によって生成された干渉パターンの位相が、特定のメモリ記憶位置に記録されたホログラムの位相に一致する場合には、相関ピークが生じることになり、選択ホログラム２１４に包含されたデータは、光検出器４０４によって検出可能な方法で読取ることができる（図８）。位相が一致しない場合には、相関ピークは生じないことになる。
【００１７】
ホログラム層２１４においてアクセス媒体２０６によって生成された干渉パターンは、次にホログラム情報と或いはホログラム情報に加えられた搬送波パターンと空間的にビートすることになる。この得られた空間ビートパターンは、検出システムによって読取られて、適切なデータがホログラフィック記録媒体２１４から読取られるようになる。ホログラム層２１４を一度通過した光は、次のアクセス媒体層２０６によってその元の状態に戻される。
【００１８】
図２から最もよく分かるように、メモリ内の様々な垂直記憶位置におけるホログラム２１４は、ホログラフィックメモリ装置２００とは別なものとして或いはホログラフィックメモリ装置２００の一部として構成することができる。
【００１９】
図１１に示すように、信号処理ユニット４０８は、ローカルエリアネットワーク（ＬＡＮ）又はワイドエリアネットワーク（ＷＡＮ）のような分散形コンピュータ又は通信ネットワーク、グローバルネットワーク（例えばインターネット）又はイントラネット５０２のようなネットワーク５００と通信する状態にすることができる。コンピュータネットワーク５００は、有線又は無線接続によって、無線ベースの通信によって、電話ベースの通信によって、或いは他のネットワークベースの通信によって地理的遠隔場所からサーバーに接続された少なくとも１つのパーソナルコンピュータ４１２又はディスプレイ装置を含む。コンピュータ４１２又はディスプレイ装置はまた、他の同様のコンピュータ又はディスプレイ装置に直接接続することができる。コンピュータ４１２は、同様にインターネット５０２を介して他のコンピュータ４１２、ディスプレイ装置又はネットワークに順次に接続される。ネットワークのコンピュータ４１２、ディスプレイ装置及び他の電子媒体装置は、それらが、ネットワーク及びインターネット５０２を介してそれらの２つ又はそれ以上の間でコマンド又はアルゴリズムを送信し、受信し、記録し、記憶しまた処理することができるようにするコンピュータプログラムソフトウェアを実行して、ホログラフィックメモリ装置に記憶されたデータを読取るように構成することができる。コマンド又はアルゴリズムのこのような処理は、例えば種々のタイプの暗号化、解読、画像圧縮及び復元アルゴリズム、並びに他のタイプのフィルタ処理、コントラスト強調、画像鮮明化、雑音除去及び画像分類の相関を含む。
【００２０】
第１の、第２のなど、前方又は後方、右側又は左側、上部又は下部、上方又は下方、水平又は垂直というあらゆる言い方、或いは一つの対象、量又は変数の他に対する相対的な位置付けを示すあらゆる他の表現は、他の記載がない限り、説明の便宜のためのものであり、本発明又はその構成要素をいずれか１つの位置的、空間的又は時間的な位置付けに限定するものではない。添付図面における構成要素の全てのディメンションは、本発明の技術的範囲から逸脱することのなく、可能性のある設計及び実施形態の意図した使用に合わせて変えることができる。
【００２１】
本発明をその幾つかの実施形態に関して説明してきたが、本発明の技術的範囲から逸脱することなく、本発明の要素に様々な変更を加えることができまた本発明の要素を均等物で置き換えることができることは、当業者には明らかであろう。さらに、本発明の本質的な技術的範囲から逸脱することなく、特定の状況又は物的要素を本発明の教示に適応させるために、多くの修正を加えることができる。従って、本発明は、本発明を実施するために考えられる最良の形態として開示した特定の実施形態に限定されるものではなく、本発明は、特許請求の範囲の技術的範囲内に属する全ての実施形態を含むことになることを意図している。
【図面の簡単な説明】
【００２２】
【図１】複数のホログラフィック層及び位相選択層を有するホログラフィックメモリ装置の断面図。
【図２】複数のホログラフィック層及び偏光選択層を有するホログラフィックメモリ装置の断面図。
【図３】ホログラムを作るための光学的構成を示す図。
【図４】図１及び図２のホログラフィックメモリ装置のホログラフィック層内における２つの光ビームの干渉を示す第１の概略図。
【図５】図１及び図２のホログラフィックメモリ装置のホログラフィック層内における２つの光ビームの干渉を示す第２の概略図。
【図６】図１及び図２のホログラフィックメモリ装置のホログラフィック層内における２つの光ビームの干渉を示す第３の概略図。
【図７】ホログラフィックメモリ装置内のセクタアドレスを示す図。
【図８】図１及び図２のホログラフィックメモリ装置のホログラフィック層に記録されたデータを読取るための光学的／電子的構成を示す図。
【図９】それによってＮ次回折次数回折波面を発生する、図１及び図２のホログラフィックメモリ装置のホログラフィック層内における２つの光ビームの干渉を示す第１の概略図。
【図１０】それによってＮ次回折次数回折波面を発生する、図１及び図２のホログラフィックメモリ装置のホログラフィック層内における２つの光ビームの干渉を示す第２の概略図。
【図１１】図１及び図２のホログラフィックメモリ装置と通信する状態になったコンピュータ又は通信ネットワークの概略図。
【符号の説明】
【００２３】
１００  ホログラフィックメモリ装置
１０２  基板
１０４  ホログラフィック記録媒体
１０６  メモリアドレスアクセス媒体
１０８  保護層
１１０、１１２  光ビーム
１１４  ホログラム
【図１】
0004457016.tif 000002
【図２】
0004457016.tif 000003
【図３】
0004457016.tif 000004
【図４】
0004457016.tif 000005
【図５】
0004457016.tif 000006
【図６】
0004457016.tif 000007
【図７】
0004457016.tif 000008
【図８】
0004457016.tif 000009
【図９】
0004457016.tif 000010
【図１１】
0004457016.tif 000011
【図１０】
0004457016.tif 000012